(57)【要約】  スパーブイ魚囲い（１００）用の死骸トラップ（１５０）は、魚囲いから沈む死亡した魚または死骸（Ｍ）を受け取りかつ捕捉するように構成される。死骸トラップは、第１の通路（９０）を画定するためにスパーブイ（１１０）の下部に取り付けられる。沈む死骸は、死骸トラップの上部受容部（１５０Ｕ）に入り、傾斜する横方向パネル（１５４）に遭遇する。重力は、死骸が第２の通路（Ｂ）を通ってより低い閉じ込め部（１５０Ｌ）に入り、さらに横方向パネル（１５４）の下にある領域に入り、正の浮力になった場合に死骸が出ないようにする。閉じ込め部は、選択的に、死骸の排出を可能にするバルブ付きポートへの収束チャネルを含む。死骸トラップは、スパーブイの遠位端に位置してもよく、スパーブイの下部の中間位置に配置されてもよい。
2019505241.tif 000002
【特許請求の範囲】
【請求項１】
上端部および下端部を有するスパーブイと、
前記スパーブイの前記上端部に取り付けられる先端部と、前記スパーブイの前記下端部に取り付けられる底端部とを有するメッシュ囲いであって、包囲空間を画定するメッシュ囲いと、
前記スパーブイの前記下端部に取り付けられる死骸トラップであって、
前記包囲空間から前記死骸トラップへの第１の通路を画定するために前記メッシュ囲いの前記底端部に係合する受け部であって、前記受け部は、管状壁と、前記管状壁の第１の側から前記管状壁の反対側に向かって下方に傾斜する横方向パネルとを有し、第２の通路が前記横方向パネルおよび前記管状壁の間に画定される、受け部と、
前記受け部の下に配置された閉じ込め部であって、前記管状壁の前記反対側から前記横方向パネルの下の位置へ下方に傾斜する第１の部分と、前記第１の部分から延在する第２の部分とを有する床を備える、閉じ込め部と、
を備える死骸トラップと、
を備える、魚囲いであって、
前記魚囲いを通り沈む負の浮力の死骸は、前記第１の通路を通り前記死骸トラップの前記受け部に入り、前記第２の通路を通って前記横方向パネルの下の位置へ進む、魚囲い。
【請求項２】
前記閉じ込め部が、前記閉じ込め部内を観察できるように構成された透明のビューポートをさらに備える、請求項１に記載の魚囲い。
【請求項３】
前記死骸トラップが、前記管状壁を通り前記死骸トラップへのアクセスを提供する開放可能なアクセスパネルをさらに備える、請求項１に記載の魚囲い。
【請求項４】
前記閉じ込め部が収束チャネルを画定し、かつ前記収束チャネルに係合するとともに、排出ホースに結合するよう構成されたカップリングをさらに備える、請求項１に記載の魚囲い。
【請求項５】
前記収束チャネルが垂直および水平に収束する、請求項４に記載の魚囲い。
【請求項６】
前記カップリングが閉鎖可能なバルブを備える、請求項４に記載の魚囲い。
【請求項７】
カップリングポートに対向して位置する流通口をさらに備え、前記流通口は、使用者が前記流通口から前記カップリングへの流れを開始できるように構成されている、請求項４に記載の魚囲い。
【請求項８】
前記スパーブイの周囲に配置された少なくとも１つのリムアセンブリと、前記少なくとも１つのリムアセンブリを前記スパーブイに取り付ける１または複数の取付部材とをさらに備える、請求項１に記載の魚囲い。
【請求項９】
前記死骸トラップは、前記スパーブイの前記下端部を受け入れる大きさの垂直チャネルを画定し前記スパーブイの前記下端部における中間位置に前記死骸トラップが配置される、請求項１に記載の魚囲い。
【請求項１０】
前記スパーブイの前記下端部の直径より大きい内径を有する下部リング部材と、前記リング部材を前記スパーブイに取り付ける複数の取付ブラケットとをさらに備え、前記死骸トラップが前記リング部材に固定される、請求項１に記載の魚囲い。
【請求項１１】
前記死骸トラップの前記受け部への前記第１の通路が前記下部リング部材および前記スパーブイの前記下端部の間に環状の間隙を備える、請求項１０に記載の魚囲い。
【請求項１２】
死んだ魚（死骸）を捕捉するための死骸トラップであって、底端部を有するメッシュ囲いを有する魚囲いのためにスパーブイの下部に取り付けられるよう構成され、
包囲空間から前記死骸トラップへの第１の通路を画定するために前記メッシュ囲いの前記底端部と係合する受け部であって、前記受け部は、管状壁と、前記管状壁の第１の側から前記管状壁の反対側に向かって下方に傾斜する横方向パネルとを有し、第２の通路は、前記横方向パネルおよび前記管状壁の間に画定される、受け部と、
前記受け部の下に配置された閉じ込め部であって、前記閉じ込め部は、前記管状壁の前記反対側から前記横方向パネルの下の位置へ下方に傾斜する第１の部分と、前記第１の部分から延在する第２の部分とを有する床を備える、閉じ込め部と、
を備える死骸トラップであって、
前記第１の通路を通り前記死骸トラップの前記受け部に入る負の浮力の死骸が前記第２の通路を通り前記横方向パネルの下の位置へ進む、死骸トラップ。
【請求項１３】
前記閉じ込め部が、前記閉じ込め部内を観察できるように構成された透明のビューポートをさらに備える、請求項１２に記載の死骸トラップ。
【請求項１４】
前記死骸トラップが、前記管状壁を通り前記死骸トラップへのアクセスを提供する開放可能なアクセスパネルをさらに備える、請求項１２に記載の死骸トラップ。
【請求項１５】
前記閉じ込め部が収束チャネルを画定し、かつ前記収束チャネルと係合するとともに、排出ホースに結合するよう構成されたカップリングをさらに備える、請求項１２に記載の死骸トラップ。
【請求項１６】
前記収束チャネルが垂直および水平に収束する、請求項１５に記載の死骸トラップ。
【請求項１７】
閉鎖可能なバルブを備えるカップリングが前記収束チャネルに取り付けられ、前記収束チャネルからの流路を提供する、請求項１６に記載の死骸トラップ。
【請求項１８】
カップリングポートに対向して位置する流通口をさらに備え、前記流通口は、使用者が前記流通口から前記カップリングへの流れを開始できるように構成されている、請求項１７に記載の死骸トラップ。
【請求項１９】
前記死骸トラップが前記スパーブイの前記下部を受け入れる大きさの垂直チャネルを画定し、前記スパーブイの前記下部における中間位置に前記死骸トラップが配置される、請求項１２に記載の死骸トラップ。
【請求項２０】
前記死骸トラップは、前記スパーブイの下端部の直径より大きい内径を有する下部リング部材によって前記スパーブイに取り付けられ、前記リング部材から前記スパーブイの前記下部に延在する複数の取付ブラケットが前記リング部材を前記スパーブイに取り付け、前記死骸トラップが前記リング部材に固定される、請求項１２に記載の死骸トラップ。
【発明の詳細な説明】
【技術分野】
【０００１】
関連出願の相互参照
本出願は、２０１６年２月２３日に出願された仮出願第６２／２９８９６４号の利益を主張するものであり、その全体が本明細書に参考として明示的に援用される。
【背景技術】
【０００２】
何千年もの間、海やその他の自然の貯水池は、豊かで安定した栄養源を提供してきた。しかし近年では、乱獲、非効率な採取、環境ストレス要因により、多くの地域で特定の魚類集団の枯渇または減少を招いている。同時に、人口の増加、生活水準の向上、シーフードの健康効果に対する意識の高まりによって、魚や魚製品の需要が高まっている。
【０００３】
一般的な水産養殖の進歩、および特に養殖技術の進歩により、低コストで魚製品の世界的需要の増加に効率的に対処するための重要な進展が可能となった。養殖の発展はまた、常在の魚類集団の乱獲に伴うリスクを軽減する。特に、魚ケージまたは魚囲いを利用した海洋養殖システム（海洋水産養殖）が成功を収めている。水産養殖の用途に適した大型の水中魚囲いは、食品源の効率的かつ生物学的に責任ある養殖を助けるために当該技術分野で知られている。海洋養殖では、大型の魚囲いは、海流が比較的強い、より深くて保護されていない水域に、ある程度離れた沖合に配置される。魚囲いには若い魚や幼魚が飼育され、魚は成熟するまで飼育され、維持される。魚囲いは、魚の生息地と保護を提供する。同様の魚囲いは、淡水の水産養殖、例えばより大きな淡水の水域でも使用することができる。
【０００４】
沿岸養殖システムの欠点は、養殖場の老廃物が魚ケージの下に沈み、海底に蓄積し、底生生物地帯の生態系に悪影響を及ぼす可能性があることである。養殖の魚を沖合いの場所に保持するように構成されたシステムを提供することにより、老廃物はより迅速に掃除され、浄化される。密集度の高い沿岸から遠く離れた場所の沖合のシステムは、増加する要求を満たすために、より容易に設置され拡張される。
【０００５】
中央スパーブイまたは、スパーブイの中央クラスターを使用する魚囲いのより最近の技術革新は、Loverichによる特許文献１およびLoverichらによる特許文献２に開示されており、これらはいずれもそれらの全体を参照することにより組み込まれている。Loverichらは、魚または甲殻類を育てるための可動囲いを開示し、中央の垂直スパーブイが１つ以上の水平リムアセンブリによって取り囲まれている。メッシュ／ネットは、スパーブイの上端部からリムアセンブリの外側に延び、リムアセンブリからスパーブイの下端部まで内側に延びている。Madsenらによる特許文献３（参照により本明細書に援用される）は、例えば、処理または採集作業を容易にするために、魚囲い内の魚の集団を分離するため、および／または小さい空間に魚を詰めるための展開可能なシステムを備えたスパーブイ魚囲いアセンブリを開示している。
【先行技術文献】
【特許文献】
【０００６】
【特許文献１】米国特許第５，３５９，９６２号明細書
【特許文献２】米国特許第５，６１７，８１３号明細書
【特許文献３】米国特許第９，０７２，２８２号明細書
【発明の概要】
【発明が解決しようとする課題】
【０００７】
魚囲い構造のさらなる改良が必要である。例えば、魚囲いに魚の集団が含まれている場合、健康な魚への害を防ぐために、健康な魚の集団から病気や死亡した魚を素早く取り除くことが望まれる。現在の魚囲いでは、死骸（morts「モート」）を魚囲いから分離して取り除くことは難しい。残りの魚集団の健康を維持するために、死骸を迅速に分離することは有益である。また、死の原因を特定し、適切な場合には是正措置を講じるために、死骸を迅速に特定して削除することが有益である。
【課題を解決するための手段】
【０００８】
この要約は、以下の詳細な説明でさらに説明する概念の選択を簡略化した形で紹介するために提供される。この要約は、特許請求された主題の重要な特徴を特定することを意図するものではなく、特許請求される主題の範囲を決定する助けとして使用されることを意図している。
【０００９】
魚囲いは、スパーブイと、包囲空間を画定するメッシュ囲いとを含む。メッシュ囲いは、スパーブイの上端部と下端部に取り付けられている。メッシュ囲いから死骸を受け入れ、分離するよう構成された死骸トラップが、下端部の遠位端部または下端部に沿った中間位置のいずれかに、スパーブイの下端部に取り付けられる。死骸トラップは、メッシュ囲いの底端部と係合する受け部を含み、沈んだ死骸は、包囲空間から死骸トラップへの第１の通路を通過する。受け部は、管状壁と、管状壁の第１の側から反対側に向かって下方に傾斜する横方向パネルを含み、横方向パネルと管状壁との間に第２の通路を画定する。死骸トラップは、受け部の下方に配置される閉じ込め部を含み、管状壁の反対側から横方向パネルの下の位置まで下方に傾斜する第１の部分と、第１の部分から延在する第２の部分とを有する床を有する。死骸トラップは、魚囲いを通って沈む負の浮力の死骸が第１の通路を通って死骸トラップの受け部に入り、第２の通路を通って横方向パネルの下の位置まで続いて進むように構成され、死骸が正の浮力を有する場合でも、横方向パネルが、死骸が魚囲いの包囲空間に再度入らないようにする。
【００１０】
一実施形態では、閉じ込め部は、閉じ込め部内を観察できるように構成された透明なビューポートをさらに備える。
【００１１】
一実施形態では、死骸トラップは、管状壁を通って死骸トラップへのアクセスを提供する開放可能なアクセスパネルをさらに備える。
【００１２】
一実施形態では、閉じ込め部は、収束チャネルを画定し、収束チャネルと係合する排出ホースとの係合のためのカップリングが設けられる。いくつかの実施形態では、チャネルは、垂直および水平に収束し、カップリングは閉鎖可能である。いくつかの実施形態では、流通口がカップリングに対向して設けられ、ユーザが流通口からカップリングへの流れを開始できるように構成されている。
【００１３】
一実施形態では、魚囲いは、スパーブイの周囲に配置される少なくとも１つのリムアセンブリと、少なくとも１つのリムアセンブリをスパーブイに取り付ける１つ以上の取付部材とをさらに含む。
【００１４】
一実施形態では、死骸トラップは、スパーブイの下端部を受け入れる大きさの垂直チャネルを画定し、死骸トラップは、スパーブイの下端部の中間位置に配置される。
【００１５】
一実施形態では、スパーブイの下端部の直径よりも大きい内径を有する下部リング部材が、複数の取付ブラケットによってスパーブイに取り付けられ、死骸トラップがリング部材に固定される。例えば、第１の通路は、下部リング部材とスパーブイとの間の環状隙間によって画定されてもよい。
【００１６】
死んだ魚（morts）を捕捉するための死骸トラップは、底端部を有するメッシュ囲いを有する魚囲い用のスパーブイの下部に取り付けられるように構成されている。死骸トラップは、包囲空間から死骸トラップへの第１の通路を画定するためにメッシュ囲いの底端部に係合する受け部を含み、受け部は、管状壁と、管状壁の反対側に向かって管状壁の第１の側から下方に傾斜する横方向パネルを有し、第２の通路が横方向パネルと管状壁との間に画定される。死骸トラップは、受け部の下方に延びる閉じ込め部をさらに含み、閉じ込め部は、管状壁の反対側から横方向パネルの下方の位置まで下方に傾斜する第１の部分と、第１の部分から延在する第２の部分とを有する床を備える。死骸トラップは、第１の通路を通って死骸トラップの受け部に入る負の浮力の死骸が、第２の通路を通って横方向パネルの下の位置まで進むように構成される。
【００１７】
一実施形態では、閉じ込め部は、閉じ込め部内を観察できるように構成された透明なビューポートをさらに備える。
【００１８】
一実施形態では、死骸トラップは、管状壁を通って死骸トラップへのアクセスを提供する開放可能なアクセスパネルをさらに備える。
【００１９】
一実施形態では、閉じ込め部は、収束チャネルを画定し、収束チャネルと係合し、排出ホースに結合するように構成されたカップリングをさらに含む。一実施形態では、閉鎖可能なバルブが収束チャネルに取り付けられ、収束チャネルからの流路を提供する。
【００２０】
一実施形態では、流通口は、カップリングポートに対向して配置され、ユーザが流通口からカップリングへの流れを開始できるように構成されている。
【００２１】
一実施形態では、死骸トラップは、スパーブイの下部を受け入れる大きさの垂直チャネルを画定し、死骸トラップは、スパーブイの下部の中間位置に配置される。
【００２２】
一実施形態では、死骸トラップは、スパーブイの下端部の直径よりも大きい内径を有する下部リング部材によってスパーブイに取り付けられ、リング部材からスパーブイの下部まで延在する複数の取付ブラケットによってリング部材をスパーブイに取り付け、死骸トラップは、リング部材に固定される。
【００２３】
本発明の前述の態様および付随する多くの利点は、添付の図面と併せて以下の詳細な説明を参照することにより、よりよく理解されるようになるだろう。
【図面の簡単な説明】
【００２４】
【図１Ａ】本発明による死骸トラップを有する海洋魚囲いの正面図である。
【図１Ｂ】図１Ａに示す魚囲いの平面図である。
【図２Ａ】図１Ａに示す死骸トラップの詳細を示す、魚囲いの下端の詳細正面図である。
【図２Ｂ】図１Ａに示す死骸トラップのさらなる詳細を示す、魚囲いの下端の詳細背面図である。
【図３】図２Ａに示す死骸トラップの垂直中央平面を通る詳細断面図である。
【図４】本発明による死骸トラップを備えた魚囲いの別の実施形態の正面図であり、死骸トラップは、そこを通るスパーブイを受け入れる大きさの垂直貫通チャネルを有し、スパーブイの底端部の上に位置する。
【図５】図４に示す死骸トラップを有する魚囲いの下端の詳細正面図である。
【発明を実施するための形態】
【００２５】
商業的な外洋魚囲いの魚が死んだ場合（または衰弱している場合）、死んだ魚（当該分野では、mort（死骸）」と呼ばれる）は、はじめに負の浮力を持ち、魚囲いの底端部に沈む。短時間のうちに、死骸は、中性の浮力になり、その後内部で生成されるガスによって正の浮力となり、死骸は、魚囲いを通って上昇する可能性がある。したがって、長期間にわたり、死骸は、魚囲いの中にとどまることがある。大きな魚囲いの死骸は、特定し、分離し、魚囲いから回収するのが非常に難しいことがある。従来の海洋養殖事業では、ダイバーが死骸を除去することを任されることがある。
【００２６】
すぐに死骸を隔離することには利点がある。死骸より迅速に特定して回収することにより、死因をタイムリーに決定し、さらなる魚の損失を防止または低減するための適切な是正措置を実施することができる。例えば、死骸が、保護処置が可能な病原体に罹っていたと判明した場合、治療の早めの処置によって残りの魚の集団を最適に保護することができる。死亡原因がエサや魚囲いに供給された他の製品に関連すると判断された場合、是正措置が適時に実施されることがある。さらに、死骸が健康的な魚の集団に内にいる時間を最小限に抑えることによって、集団における病原体の拡散を遅くしたり、予防したりすることができる。
【００２７】
たとえ自然で非病原性の原因が死因であっても、魚囲いの一般的な健康維持のために、また望ましくない捕食者を魚囲いの領域に引き付けるのを避けるために、集団から死骸を取り除くことが有利である。
【００２８】
図１Ａは、例えば海洋養殖における使用に適している、ネットアセンブリ１２０によって画定された囲いを支持する中央スパーブイ１１０を有する垂直スパー魚囲い１００の正面図を示す。本発明による死骸トラップ１５０は、スパーブイ１１０の下端に取り付けられている。図１Ｂは、魚囲い１００の平面図を示す。例示的な垂直スパー魚囲いは、Madsenらの特許文献３に記載されており、参照により本明細書に組み込まれる。
【００２９】
死骸トラップ１５０は、魚囲い１００内の残りの魚の集団から死骸を受け取り分離するように構成される。本実施形態の死骸トラップ１５０は、魚囲い１００から健康な生きている魚を採集または抽出することを容易にするように構成することもできる。死骸トラップ１５０は、垂直スパー魚囲い１００に取り付けるように示されているが、死骸トラップ１５０は、例えば、閉じ込め空間の下端を規定する傾斜壁を有する球形または多面体の魚囲いなどの、他の海洋魚囲と協働するように構成することができる。
【００３０】
魚囲い１００は、中央に位置する細長いスパーブイ１１０を含む。スパーブイ１１０は、水中で垂直に向いている。例示的な実施形態では、スパーブイ１１０は、魚囲い１００の浮力を調整するために、水または空気（または別のガス）で選択的に満たされ得る１または複数の内部空間を含む。いくつかの実施形態では、例えば、魚囲いの清掃、検査、保守、アップグレードまたは修理を容易にするために、魚囲い１００を少なくとも部分的に水から持ち上げることが望ましい場合がある。現在の実施形態では、魚囲い１００は、エアポンプアセンブリ（図示せず）と共に、または契合するように構成されているため、スパーブイ１１０のチャンバに空気が圧送され、海水を移動させてスパーブイ１１０の浮力を増大させることができる。したがって、スパーブイ１１０は、魚囲い１００を部分的に水から持ち上げることができる。スパーブイ１１０は、スパーブイ１１０の垂直方向を維持するために、アンカーまたはバラスト部材（図示せず）に接続されてもよい。いくつかの実施形態では、スパーブイ１１０は、ユーザが魚囲い１００を反転させて魚囲い１００のいずれかの端部を水から選択的に持ち上げることができるように構成することができる。また、当業者であれば、魚囲い１００を持ち上げることは、魚囲い１００から魚を採集する場合に例えば魚囲い１００内のより小さな空間に魚を集めるために、有益であり得ることも理解されよう。
【００３１】
リムアセンブリ１１２は、スパーブイ１１０の周囲に配置される。例示的な実施形態におけるリムアセンブリ１１２は、多角形または円形の構成に組み立てられた複数の管状セグメントから形成される。図１Ａ、図１Ｂの実施形態のリムアセンブリ１１２は、スパーブイ１１０に対してほぼ垂直に配置され、一般に正十二角形の形状である。いくつかの実施形態では、リムアセンブリ１１２の浮力は調節可能である。例えば、スパーブイ１１０と協働するリムアセンブリ１１２は、空気、水、または空気と水の組み合わせで満たされるように構成され、所望の魚囲い１００の浮力を生成し、または例えば、リムアセンブリ１１２の浮力を非対称に変化させることによって、魚囲い１１０を再配向または反転させる。
【００３２】
リムアセンブリ１１２は、下部スポークラインリング１１６と上部スポークラインリング１１８との間に延在する複数の張力部材１１４を用いてスパーブイ１１０に取り付けられる。リムアセンブリ１１２は、それぞれの張力部材１１４に係合するように構成された複数の離間したガイド、プーリー、またはフランジ１１９を含む。フランジ１１９は、張力部材１１４の取付点または係合点を提供し、また、魚囲い１００を固定するために、および／または複数の魚囲い１００を結合するかまたは相互連結するために使用され得る。
【００３３】
いくつかの実施形態では、魚囲いは、２つ以上のリムアセンブリ１１２を備えることができる。例えば、魚囲いは、２つ以上の平行で離間したリムアセンブリ１１２を有することができる。
【００３４】
上部スポークラインリング１１８は、スパーブイ１１０の上端部近くに接続される。本実施形態では、上部スポークラインリング１１８は、スパーブイ１１０の外面に固定された、または共に形成された複数の長手レール１１１を介してスパーブイ１１０に取り付けられている。レール１１１は、好ましくは、上部スポークラインリング１１８の軸方向位置が調整可能であるように、複数の離間した取り付け位置を含む。
【００３５】
図２Ａおよび図３も参照されたい。下部スポークラインリング１１６は、例えば、スパーブイ１１０の外面に固定されるか又は共に形成された長手レール１１１を介して、スパーブイ１１０の下端部付近に接続される。この実施形態では、下部スポークラインリング１１６は、スパーブイ１１０の外径から離間した内径を有するため、下部スポークラインリング１１６とスパーブイ１１０との間に環状チャネル９０が画定され、ネットアセンブリ１２０によって包囲空間１０５から死骸トラップ１５０へのアクセスを提供する。取付ブラケット１１３は、下部スポークラインリング１１６から半径方向に延びて、下部スポークラインリング１１６を長手レール１１１に接続する。
【００３６】
この例示的な実施形態では、第１の複数の張力部材１１４が上部スポークラインリング１１８からフランジ１１９のそれぞれの１つに延び、第２の複数の張力部材１１４がフランジ１１９のそれぞれの１つから下部スポークラインリング１１６に延びている。例えば、各張力部材１１４は、両端に取付部材を有するケーブルを含むことができるか、または複数の相互接続されたケーブルから形成することができる。張力部材１１４は、ネットまたはメッシュアセンブリ１２０に係合してこれを支持し、魚囲い１００によって囲まれた一次空間１０５を画定する。
【００３７】
別の実施形態では、複数の張力部材１１４が上部スポークラインリング１１８から延び、例えばリングアセンブリ１１２上の回転可能に取り付けられたチャネル部材（図示せず）などのガイドまたはチャネル部材と係合し、下部スポークラインリング１１６に係合するために下方にさらに延びる。
【００３８】
図２Ａは、死骸トラップ１５０を含む魚囲い１００の下端部の正面図を示し、図２Ｂは、魚囲い１００の下端部の背面図を示す。図３は、死骸トラップ１５０の内部の特徴を示す死骸トラップ１５０の断面図を示す。
【００３９】
死骸トラップ１５０は、魚囲い１００から沈む死骸Ｍを受け入れるように構成された上部受け部１５０Ｕと、ユーザによって取り除かれるまで受け取った死骸Ｍをトラップ１５０内に保持する下部閉じ込め部１５０Ｌとを含む。上部受け部１５０Ｕは、上部フランジ１５１を有する管状外壁１５２を含み、上部フランジは、下部スポークラインリング１１６に死骸トラップ１５０を取り付けるために、下部スポークラインリング１１６上の対応するフランジ１１７に係合するように構成されている。上記で論じたように、下部スポークラインリング１１６は、複数の取付ブラケット１１３によってスパーブイ１１０に取り付けられ、取付ブラケット１１３は、スパーブイ１１０と下部スポークラインリング１１６との間に半径方向に延在し、魚囲い１００から死骸トラップ１５０への環状チャネル９０を画定する。当技術分野で周知の他の適切な取り付け機構を代替的に使用することができる。
【００４０】
図３において最も明瞭に見られるように、死骸トラップ１５０の下部閉じ込め部１５０Ｌは、外壁１５２の第１の側部から横方向に延び、死骸トラップ１５０の反対側へ部分的に延びる傾斜した内部パネル１５４を含み、傾斜した内部パネル１５４と外壁１５２の反対側との間に開口部または通路１５５（および矢印Ｂ）が画定される。トラップ１００は、通路１５５の下にある第１の部分１５７を有する成形床１５６を含み、成形床１５６は、傾斜した内部パネル１５４から反対方向に傾斜し、外壁１５２の反対側から外壁の第１の側に向かって延び、通路１５５の下、および傾斜した内部パネル１５４の一部の下に延びる。床１５６の第２の部分１５８は、第１の部分から傾斜し、傾斜した内部パネル１５４に向かって収束する。床１５６は、傾斜した内部パネル１５４の下の沈降領域ＳＡを画定する。
【００４１】
一対の対向して配置された側壁１６０が、傾斜した内部パネル１５４と床１５６との間に延びて、収束チャネル１７０を協働で画定する。この実施形態では、収束チャネル１７０は、垂直方向（傾斜した内部パネル１５４と床１５６の第２の部分１５８との間）および水平方向（収束側壁１６０間）に収束する。収束チャネル１７０は、排出ホース１８０と係合するように構成されたカップリング１７２に接続される。一実施形態では、カップリング１７２は、閉鎖可能なバルブを含む。この実施形態では、排出ホース１８０は、ネットアセンブリ１２０によって包囲空間１０５の外側に位置しているが、別の実施形態では、排出ホース１８０は、魚囲い１００を通って上方に延びている。例えば、排出ホース１８０は、スパーブイ１１０に隣接して又は平行に配置することができる。排出ホースの少なくとも一部をスパーブイ１１０の内部に配置することができると考えられる。
【００４２】
流通口１５９は、任意に、収束チャネル１７０の反対側に設けられる。流通口１５９は、収束チャネル１７０を通って排出ホース１８０に流れを提供するために、ポンプまたは他の流れ装置（図示せず）に接続されるように構成される。任意に、死骸トラップ１５０は、例えば、清掃および保守を容易にするために、死骸トラップ１５０の上部へのアクセスを提供する開放可能なアクセスパネル１７８を含む。収束チャネル１７０はまた、作業者がトラップ１５０の内部へアクセスできるように、１つ以上のアクセスパネル１７４を含むことができる。
【００４３】
死骸トラップ１５０は、任意に、１または複数のビューポート１７６を含む。例えば、ビューポート１７６は、潜在的な問題の早期検出を提供するために死骸トラップ１５０のビデオ監視を容易にすることができる。任意に、死骸Ｍが通過するのを妨げることなく、健康な魚が死骸トラップ１５０の沈降領域ＳＡに入るのを阻止するために、１または複数の視覚バリア１８２（図３参照）が配置される。この実施形態では、視覚バリア１８２は、傾斜した内部パネル１５４の端部の近くに垂れ下がる、重み付けされた材料のスリットシートまたは複数のストリップを含む。視覚バリアの他の選択肢と配置が可能である。例えば、横方向バリアは、トラップの床１５６への狭い入口を画定するために、傾斜した内部パネル１５４に向かってトラップの反対側から延びることができる。
【００４４】
死骸トラップ１５０の動作は、図３を参照して理解することができる。上記で論じたように、典型的には、魚が死滅した場合、典型的に負の浮力を有し、魚囲い１００の底に沈む。ネットアセンブリ１２０の円錐形の壁は、死骸Ｍを死骸トラップ１５０に向かって誘導する。死骸Ｍが沈むと、魚囲い１００から環状チャネル９０を通って死骸トラップ１５０に入る。死骸Ｍは、最初に傾斜した内部パネル１５４に遭遇し、傾斜した内部パネル１５４に沿って、矢印Ａで示すように、傾斜した内部パネル１５４と外壁１５２との間の開口部１５５に向かって滑り落ちる。傾斜した内部パネル１５４の端部で、死骸Ｍは、矢印Ｂで示すように、開口部１５５を通って床１５６の傾斜部分１５７上を通過する。死骸Ｍは、矢印Ｃで示すように、第１の部分１５７に沿って沈降領域ＳＡに向かって進む。死骸Ｍが正の浮力になると、死骸Ｍは傾斜した内部パネル１５４に係合し、収束チャネル１７０にさらに滑り込み、死骸Ｍが魚囲い１００に戻ることが防止されることが理解されよう。
【００４５】
定期的にまたは収束チャネル１７０内で検出される１つまたは複数の死骸Ｍに応じて、カップリング１７２が開かれて、排出ホース１８０への流路を提供することができ、ポンプをポート１５９に接続し、ポンプを作動させて流れを開始させることによって、死骸Ｍを排出するように流れ始める。
【００４６】
死骸トラップ１５０は、生きた魚を魚囲い１００から取り除くために、採集作業のために使用することができることがさらに考えられる。例えば、密集機構を使用して、生きた魚を環状チャネル９０を介して死骸トラップ１５０に、さらに収束チャネル１７０を通って排出ホース１８０に流入させることができる。
【００４７】
本発明による死骸トラップ２５０の別の実施形態が図４および図５に示されており、上述の死骸トラップ１５０と多くの特徴を共有している。死骸トラップ２５０のこの実施形態の、上述の死骸トラップ１５０と同様の態様は、明確さと簡潔さのために繰り返さない。この実施形態では、死骸トラップ２５０は、スパーブイを受けるような大きさの、トラップ２５０を垂直に貫通する貫通チャネルを含む。死骸トラップ２５０がスパーブイ１１０の下端部（メッシュ囲い１２０の下側）に沿った中間位置に配置されるように、スパーブイ１１０は、死骸トラップ２５０を完全に貫通する。
【００４８】
図４は、スパーブイ１１０の下端部近くに位置する死骸トラップ２５０を有する魚囲い１００の正面図を示しており、スパーブイ１１０の下部１１０Ａは、死骸トラップ２５０の下方に延びている。バラスト部材２５２は、任意に、１つ以上の取付部材、例えばケーブル２５１によってスパーブイ１１０の下部１１０Ａに取り付けられる。いくつかの実施形態では、ケーブル２５１は、リールおよび駆動アセンブリ（図示せず）に接続され、例えば水中の魚囲い１００の深さを変更できるようにケーブル２５１の有効長さが調整可能になっている。例えば、メンテナンスを容易にするため、または魚囲い１００内の魚を処理または採取するために、魚囲い１００を持ち上げるために、ケーブル２５１を長くする（繰り出す）ことができる。別の例では、例えば、潮汐変化などに従うために、海底に対する魚囲い１００の位置を変更するように、ケーブル２５１の長さを制御することができる。
【００４９】
バラスト部材２５２は、スパーブイ１１０を安定化するように構成されて、スパーブイ１１０および魚囲い１００を所望の垂直方向に維持することができる。いくつかの実施形態では、バラスト部材２５２は、使用中に海底に載置され、魚囲い１００を所望の位置に固定することができる。いくつかの実施形態では、バラスト部材は、複数の別個の重り部材を備えることができる。いくつかの実施形態では、１つまたは複数の別個のラインおよびアンカーまたはパイル（図示せず）が、バラスト部材２５２を海底に所望の位置に固定する。バラスト部材２５２を有する複数の魚囲い１００を有する養殖場では、バラスト部材２５２を相互接続し、魚囲い１００を所望の形状に維持するために固定することができる。
【００５０】
この実施形態では、下部スポークラインリング１１６を含む死骸トラップ２５０は、スパーブイ１１０上の中間位置でスパーブイ１１０に係合し、スパーブイ１１０は、死骸トラップ２５０の長さ全体にわたって延びている。したがって、死骸トラップ２５０は、スパーブイ１１０によって海底による潜在的に有害な衝撃から保護され、スパーブイ１１０の下端部は、アンカーまたはバラスト部材２５２の取り付けのためにより容易に利用可能である。この実施形態のスパーブイ１１０は、傾斜した内部パネル１５４を通り、床１５６を通って延びることが理解されよう。傾斜した内部パネル１５４と床との間の沈降領域ＳＡは、概して環状であり、死骸を受け入れ収容するように構成された幅を有する。
【００５１】
例示的な実施形態を例示し説明してきたが、本発明の精神および範囲から逸脱することなく、様々な変更を行うことができることは理解されよう。
【符号の説明】
【００５２】
９０  第１の通路
１００  スパーブイ
１０５  包囲空間
１１０  スパーブイ
１１１  長手レール
１１２  リムアセンブリ
１１３  取付ブラケット
１１４  張力部材
１１６  下部スポークラインリング
１１７  フランジ
１１８  上部スポークラインリング
１１９  フランジ
１２０  ネットアセンブリ
１５０  死骸トラップ
１５０Ｌ  閉じ込め部
１５０Ｕ  上部受け部
１５１  上部フランジ
１５２  管状外壁
１５４  横方向パネル
１５５  通路
１５６  床
１５７  第１の部分
１５８  第２の部分
１５９  流通口
１６０  側壁
１７０  収束チャネル
１７２  カップリング
１７４  アクセスパネル
１７６  ビューポート
１７８  アクセスパネル
１８０  排出ホース
１８２  視覚バリア
２５０  死骸トラップ
２５１  ケーブル
２５２  バラスト部材
【図１Ａ】
2019505241.tif 000003
【図１Ｂ】
2019505241.tif 000004
【図２Ａ】
2019505241.tif 000005
【図２Ｂ】
2019505241.tif 000006
【図３】
2019505241.tif 000007
【図４】
2019505241.tif 000008
【図５】
2019505241.tif 000009
【国際調査報告】
2019505241.tif 000010